(57)【特許請求の範囲】
【請求項１】
容器開口部を規定する容器端部（１５）を有する容器本体（２）と、
前記容器開口部を閉鎖する蓋（３）と、
前記容器端部上（１５）の前記蓋（３）を固定するスプリット固定リング（４）とを備える容器であって、
前記スプリット固定リング（４）は前記スプリット固定リング（４）の端部（２２；２４）と接続するレバー（１９）を備え、
前記レバー（１９）は閉鎖位置において前記容器端部（１５）上の前記スプリット固定リング（４）を固定し、開放位置において前記スプリット固定リング（４）を広げ、
前記レバー（１９）と前記リング端部（２２；２４）の少なくとも１つを接続するバネ手段（３４；４１）とをさらに備え、
前記容器端部（１５）は、前記スプリット固定リング（４）との協働のための前記固定リングのための外側に延びる案内表面（１７）を備え、前記スプリット固定リング（４）は前記容器端部との協働のための案内表面（１４）を有するリング縁部を備え、前記閉鎖位置において、前記案内表面（１４）の前記外側に延びる案内表面（１７）に対する摺動により、前記スプリット固定リング（４）が一時的にバネ負荷に反して広がるように構成されていることを特徴とする、容器（１）。
【請求項２】
前記レバー（１９）はヒンジ手段（２５）によって第１のリング端部（２４）と接続したレバー端部（２３）と、ヒンジ手段（２５）によって中間レバー部（２１）と接続し、ヒンジ手段（２５）によって第２のリング端部（２２）と接続したコネクタ（２０）とを備え、前記バネ手段（３４）は前記コネクタ（２０）と前記中間レバー部（２１）とを接続する、請求項１に記載の容器（１）。
【請求項３】
前記レバー（１９）はヒンジ手段（２５）によって第１のリング端部（２４）と接続したレバー端部（２３）と、ヒンジ手段（２５）によって中間レバー部（２１）と接続し、ヒンジ手段（２５）によって第２のリング端部（２２）と接続したコネクタ（２０）とを備え、前記バネ手段（４１）は前記コネクタ（２０）と第２の前記リング端部（２２）とを接続する、請求項１に記載の容器（１）。
【請求項４】
前記コネクタ（２０）は前記閉鎖位置において前記レバー（１９）に沿って横方向に延びるコネクタストリップ（２７）を備え、前記ヒンジ手段（２５）は前記中間レバー部（２１）に摺動可能に取り付けられる、請求項１から３のいずれか１項に記載の容器（１）。
【請求項５】
リング端部（２２）に沿って延びるリングストリップを備え、前記ヒンジ手段（２５）は前記リングストリップに摺動可能に接続する、請求項１、３または４に記載の容器（１）。
【請求項６】
前記コネクタ（２０）を前記中間レバー部（２１）に接続する前記ヒンジ手段（２５）は前記中間レバー部（２１）内に摺動可能に取り付けられる、請求項１、２、４または５に記載の容器（１）。
【請求項７】
前記バネ手段は圧縮バネ手段および／またはジグザグバネ手段のような引きバネ手段（３４；４１）を備える、請求項１から６のいずれか１項に記載の容器（１）。
【請求項８】
前記リング縁部は前記容器端部（１５）の背後でスナップ結合する内側に延びる突起を備える、請求項１から７のいずれか１項に記載の容器（１）。
【請求項９】
前記容器端部（１５）は首の容器本体セクションに位置し、前記スプリット固定リング（４）および前記レバー（１９）は前記容器（１）の外側輪郭内に位置する、請求項１から８のいずれか１項に記載の容器（１）。
【請求項１０】
２２個の容器がユーロパレット上に取り付け可能な寸法を有する、請求項１から９のいずれか１項に記載の容器（１）。
【請求項１１】
固定する配置において前記容器（１）上の前記蓋（３）の上の前記スプリット固定リング（４）を押すステップを備え、前記スプリット固定リング（４）は前記容器端部（１５）が前記スプリット固定リングを通り抜けるときバネ負荷に反して一時的に広がる、請求項１に記載の蓋（３）つき容器（１）およびスプリット固定リング（４）を組み立てる方法。
【請求項１２】
前記スプリット固定リング（４）を前記蓋（３）上に取り付け、前記容器（１）上の前記蓋（３）に取り付けられた前記リングを押すステップを備える、請求項１１に記載の方法。
【発明の詳細な説明】
【技術分野】
【０００１】
本発明は容器、容器向けの閉鎖リング、および蓋と閉鎖リングを有する容器の組立方法に関する。
【背景技術】
【０００２】
容器たとえば、ペイント、インクおよびその他のペースト状の素材用の容器は一般的に蓋で閉じられる容器内に充填される。蓋は固定リングを用いて容器上に固定される。
【０００３】
容器は一般的にその表面にわたった突起を備える蓋を有して提供される。蓋は容器上に押し込まれてその後、突起が容器本体の内部へこれを超えて真下に傾く。したがって、蓋は手順において１回のプッシュで効果的に容器上に固定される。しかしながら、すべての突起を取り外すためにすべての突起を逆側に傾けなければならないので、容器から蓋を取り除くために大掛かりな操作が要求される。容器を閉じる際、突起は内部へ傾かなければならない。この公知の容器は容器本体に蓋を取り付けて固定するための比較的単純なプッシュ過程を提供する。使用者による使用は理想的とは言い難い。
【０００４】
代替的に容器本体の自由端部上で蓋を固定し容器本体の表面突起部の背後でグリップまたはスナップ結合する固定リングを備える容器が示される。固定リングは閉鎖レバーを有して提供される。閉鎖レバーは、閉鎖位置では固定スプリットリングをその最少の直径に近づけ、開放位置では固定スプリットリングをより大きな直径に広げるレバーを備える。リングのより大きな直径は、レバーをただ開放位置から閉鎖位置に移動させることにより蓋に適用されて容器上の蓋を固定してもよい。固定リングの使用はレバーの単純な操作で容器の開閉ができるので使用者に最適な操作を提供する。しかし容器に頻繁に詰めて閉鎖する利用者にとっては容器本体上への蓋の取付けおよび固定が一般的に用いられるプッシュ過程だけでもたらされないのでそのような固定リング閉鎖は適切ではない。
【０００５】
さらに容器上の閉鎖蓋には、そのような容器に要求される安全性の具備が要求される。容器は２０リットルの容器を１．８メートルの高さから金属表面に傾いた位置で落とすドロップテストのようなドロップテストを通過しなければならない。他の容器には同様の厳重なドロップテストが適用される。その他のテストは１．０バールの水圧テストおよび０．２バールの空気圧テストおよび積み重ねテストである。
【０００６】
最終的に、容器蓋の閉鎖はユーロパレットのような標準的なパレット上で多数の容器が積み重ねられて貯蔵できるよう充填されて閉鎖された容器のタイトなパッキングと貯蔵をももたらすべきである。同様の要求は充填される容器と使用される蓋に適用される。
【発明の概要】
【発明が解決しようとする課題】
【０００７】
本発明の目的は、この手順では蓋の適用はレバーの開閉および／または蓋の突起の曲げのような追加的な操作または手順を要する、ただ１回の押圧ステップであるものの、蓋が信頼性を有して取り付けられて固定される容器を提供することである。加えて、そのような容器の開閉は利用者に優しく、好ましくは開閉ツールの使用を要求されない。空または充填された容器および蓋の高密度で積み重ねられた貯蔵は標準的な貯蔵、運送および操作手段を用いることが可能であるべきである。
【課題を解決するための手段】
【０００８】
本発明のこれらの目的は容器開口部を規定する容器縁部、容器開口部を閉鎖する蓋および容器端部上で蓋を固定する固定リングを備え、固定リングは固定スプリットリングの端部と接続したレバーを備え、レバーは閉鎖位置では容器端部上の離れた固定リングを固定し、開放位置ではリングを広げ、レバーを少なくともリング端部の１つに接続するばね手段をさらに備える容器により実現される。
【０００９】
本発明は容器上の固定リングの固定のためにレバーを使用して簡単に開閉し、開閉ツールを要しないことは非常に利用者に優しいという洞察に基づく。さらに、従来のそして広く用いられたプッシュ過程を容器上の蓋および固定リングに適用することは一時的にレバーを開放位置に移動させて離れた固定リングを広げるようなさらなる操作ステップを要さず実行され、適用後にレバーを閉鎖位置に移動させるような操作も回避できる。ここで、レバーと少なくとも１つのリング端部間の接続がばね手段により達成される。ばね手段は概ね固定スプリットリングを十分な表面または周辺ばね力の適用により最少の直径に維持する。本発明によるこの閉鎖リングを有する蓋の取付けを押し進める間、リングが容器端部を通過する大きな直径の最小値で、リングはばね負荷に対して固定スプリットリングをレバーの位置を変えることなく一時的に広げるよう促される。その後、ばねは固定スプリットリングの端部を互いに向かって促し最少の直径に直径を低減する。ばね負荷は固定スプリットリングが一時的に広がるよう選択されるが、容器上で固定されたときばね力は十分な固定をもたらすために十分である。容器は操作、運搬および通常使用中（ペイントまたはインクのような）製品、水および空気を密閉する。閉鎖された容器がＵＮ承認（UN-approval）を要するとき、これはたとえば、蓋および固定リングを有して提供された容器がドロップテストを通過することを意味する。２０リットルの容器にとって、ドロップテストは約１．８メートルの高さから充填された容器を落とすことによって実行される。
【００１０】
明らかに、レバーを閉鎖位置から開放位置に移動させて、固定スプリットリングを広げてより大きな直径に達するような比較的単純な方法で利用者によって開けられてもよい。固定スプリットリングの閉鎖はばね負荷に反発するが、レバーによって生じた付勢は閉鎖過程において手動でばね負荷力を超えるのに十分である。固定スプリットリングの開口部は実質的にばね負荷に反発しない。
【００１１】
こうして、利用者によって信頼可能な蓋つき容器の閉鎖の望ましいプッシュおよび使用者による容易な開放が発明的に組み合わされる。
【００１２】
好ましい実施形態によれば、レバーは第１のリング端部とヒンジ手段で端部接続したレバー、中間レバー部とヒンジ手段で接続したコネクタおよび第２のリング端部とヒンジ手段で接続したコネクタを備え、ばね手段がレバー端部および／またはコネクタをそれぞれのリング端部に接続する。この実施形態では、ヒンジ手段およびばね手段もコネクタの中間レバー部との接続に役立つ。これは信頼性ある接続をもたらし、構築壁を使用する周囲物から防護されるかもしれない。
【００１３】
代替的な実施形態では、レバーは第１のリング端部とヒンジ手段で端部接続したレバー、中間レバー部とヒンジ手段で接続したコネクタおよび第２のリング端部とヒンジ手段で接続したコネクタを備え、ばね手段がレバーおよび／またはコネクタをそれぞれのリング端部に接続する。この実施形態では、ばね手段はレバー端部および／またはコネクタとそれぞれのリング端部との接続に役立つ。
【００１４】
容器上の離れた固定要素を有する蓋を押す間のレバー接続の拡大の最適な案内のために、コネクタは閉鎖位置においてレバーに沿って横方向に延びるコネクタスプリットを備え、ヒンジ手段が案内スロットのような案内手段を有したコネクタストリップ内に摺動可能に取り付けられるのが望ましい。こうして、閉鎖レバーのそれぞれのパーツの摺動が最適に案内される。
【００１５】
他の実施形態によるならば、ヒンジ手段が案内スロットなどの案内手段を有して提供されるリングストリップと摺動可能に接続され、ばね手段がレバー端部および／またはコネクタとそれぞれのリング端部で接続される。同様の方法で、コネクタまたはレバー端部の横滑りが最適に保障される。
【００１６】
コネクタを中間レバー部に接続するヒンジ手段が案内スロットなどの案内手段を有して提供されるコネクタストリップ内に摺動可能に取り付けられる際、最も好ましい。このような方法で、ばね負荷されたレバー接続に信頼性があり、外部から単純に保護され、最少の弧長を有する。後者はユーロパレットなどのパレット上に充填され閉鎖された容器を究極的に積み重ねるために有益である。
【００１７】
発明のコンセプト内で任意の種類のばね手段が用いられてもよい。たとえば、ばね負荷がばね手段の圧縮によって生み出される圧縮ばね手段が用いられてもよい。代替的には、ばね負荷がばね手段を引くことによって生み出される引きばね手段が用いられてもよい。ばね手段の好ましい形態はジグザグばね手段であって、ジグザグばね手段はコンパクトで多くのばね長を要しないけれども最適なばね力を提供する。
【００１８】
容器端部上に固定リングを有する蓋の最適な取り付けのために、容器端部は固定リングのための外方向に延びる案内表面を備えるのが好ましい。代替的な方法として、固定リングは容器端部と共働するための案内表面を有するリング縁部を備える。好ましくは、容器には案内表面が提供され、固定リングは固定スプリットリングが容器端部に押されたときに協働する他の案内表面を有して提供される。
【００１９】
容器端部への固定リングの最適な取り付けのために、リング縁部は容器後方でスナップ接続する内部へ延びる突起を備えるのが好ましい。
【００２０】
最少の占有表面において最適な貯蔵を提供するために、容器端部は首状の容器本体セクションに位置し、固定リングおよびレバーは容器の外側輪郭内に位置するのが好ましい。
【００２１】
容器はたとえば３つの相互に接続された容器間の隙間スペースにレバーが適合するよう、レバーばね閉鎖の弧長が十分に小さいので、２２の容器がユーロパレット（８００×１２００ｍｍ）上に取り付けられてもよい寸法を有してもよい。
【００２２】
本発明の他の態様は固定スプリットリングの端部と接続するレバーに関し、レバーは閉鎖位置で容器端部上のリングを固定し、開放位置で固定リングを開き、ばね手段は少なくとも１つのリング端部でレバーと接続する。
【００２３】
本発明の他の態様は固定配列における容器上の蓋の上の固定リングを押すステップに関し、容器端部がリングを通過するとき、スプリットリングがばね負荷に反して一時的に広がる。本発明によるそのような容器の最適な閉鎖のために、容器上での１つの操作でこの蓋と固定リングの組み合わせが押されるよう、蓋が既に固定リングを有して提供されることが、利用者のために推奨される。
【００２４】
好ましくは、容器は外側に延びる案内表面を備える容器端部および／または案内表面を有するリング縁部を備える固定リングを有し、押すステップの間、１または複数の案内表面は蓋上の固定リングのプッシュを案内し、一時的に固定リングを広げる。
【００２５】
本発明による容器、閉鎖リングおよび方法の示されたものおよび他の顕著な特徴は、説明目的で提示され、発明を限定する意図の全くないいくつかの実施形態を参照して、さらに議論され明らかになる。そこで図を参照する。
【図面の簡単な説明】
【００２６】
【図１】蓋および固定リングを備えるセットの形成の斜視図であり、プッシュによって容器上にこのセットが取り付けられる。
【図２】蓋および固定リングを備えるセットの形成の斜視図であり、プッシュによって容器上にこのセットが取り付けられる。
【図３】蓋および固定リングを備えるセットの形成の斜視図であり、プッシュによって容器上にこのセットが取り付けられる。
【図４Ａ】本発明による方法のステップを示す。
【図４Ｂ】本発明による方法のステップを示す。
【図４Ｃ】本発明による方法のステップを示す。
【図４Ｄ】本発明による方法のステップを示す。
【図４Ｅ】本発明による方法のステップを示す。
【図４Ｆ】本発明による方法のステップを示す。
【図５Ａ】本発明による固定リングの上面図を示す。
【図５Ｂ】本発明による固定リングの斜視図を示す。
【図６Ａ】本発明による離れた固定リングの閉鎖および開放プロセスをより詳細に示す。
【図６Ｂ】本発明による離れた固定リングの閉鎖および開放プロセスをより詳細に示す。
【図６Ｃ】本発明による離れた固定リングの閉鎖および開放プロセスをより詳細に示す。
【図６Ｄ】本発明による離れた固定リングの閉鎖および開放プロセスをより詳細に示す。
【図７Ａ】本発明による代替的な固定リングの斜視図を示す。
【図７Ｂ】本発明による代替的な固定リングの斜視図を示す。
【図８Ａ】本発明による他の代替的な固定リングの他の斜視図を示す。
【図８Ｂ】本発明による他の代替的な固定リングの他の斜視図を示す。
【図９】本発明による蓋および固定リングを有して提供される容器の最適な貯蔵を示す。
【図１０】図４Ｆに示されたような代替的な容器の発明の断面図を示す。
【発明を実施するための形態】
【００２７】
図１から図３は発明による容器１、および固定リング４を有する蓋３の容器本体２上への取付けを示す。示されるように、固定リング４はまず蓋３上に取り付けられ、このセット５が矢印６に従って容器本体２に押される。セット５の取付け、特に容器本体への固定リングの取付けのためのプッシュは、固定スプリットリング４の閉鎖レバー７を広げることによって達成される。
【００２８】
図４Ａから図４Ｆは発明による押圧方法を説明する。セット５は蓋３および固定リング４を備える。蓋３はカウンターシンク９によって囲まれた中心パネル８および、湾曲した蓋縁部１０の端部を備える。固定リング４は内側を向いた突起１３を有する下側を向いたスカート部１２および、外側に延びる案内表面１４内の端部を備える。突起１３は、蓋縁部１０は突起１３の上に配置されるがスカート部１２に沿って動いてもよい直径である。この点から、突起１３は円周突起でもよく、周方向に離間した突起の部分を備えてもよいことが指摘できる。
【００２９】
容器本体２は細長い形態を有し案内表面１７が提供される外向きカールを有する容器端部１５を備える。
【００３０】
セット５が容器本体２上に取り付けられたとき、セット５はカール１６の案内表面１７において案内表面１４の上に位置する。矢印６に従って押圧して力を加え、案内表面１４の案内表面１７に対する摺動を生じ、これにより図４Ｃのように固定リング４と蓋縁部５の間の距離が減少する。固定リングを広げて最大の直径を有する固定リングの最終的な位置は図４Ｄに示される。後に、突起１３がばね手段３４のばね負荷下で、カール１６の背後で（図４Ｅ参照）、スナップ結合し、カール１６が突起１３と直に接続して信頼可能なスナップ結合を形成する最終的な閉鎖位置が図４Ｆに示される。この状況では、複合物１８の中間位置により蓋３と容器端部１５の間に緊密な接続がある。
【００３１】
図５Ａおよび図５Ｂには閉鎖レバー７を有する固定リング４のより詳細が示される。閉鎖レバー７は中間レバー部２１および固定リング４の端部２２と接続したコネクタ２０を備えるレバー１９を備える。
【００３２】
図６Ａから図６Ｄは本発明による閉鎖レバー７の第１の実施形態の構築および機能を示す。
【００３３】
図６Ａは本発明による閉鎖レバー７を示す。レバー１９はそのレバー端部２３でリング端部２４と接続する。接続はヒンジピン２６を備えるヒンジ手段２５を通じてなされる。
【００３４】
コネクタ２０はレバー１９に沿って延びる２つのコネクタストリップ２７を備える。コネクタはコネクタ端部２８においてヒンジピン２９を備えるヒンジ手段２５を通じてリング端部２２に接続される。他のコネクタ端部３０はヒンジピン３１を備えるヒンジ手段２５を通じて中間レバー部２１と接続する。図６Ｂにより明確に示されるように、コネクタストリップ２７と接続したヒンジピン３１はレバーフロント部３３内に形成されたスロット３２内を案内される。ジグザグばね３５形態のばね手段３４はヒンジピン３１と接続し他方の端部はレバー１９と接続したピン３６と接続する。
【００３５】
図６Ｃは閉鎖レバー７が開放されたとき、レバー１９を矢印３７の方向に回すことによりピン３１がスロット３２内に摺動することを示す。
【００３６】
図６Ｄは固定リングの直径増加を促すフープ力が固定リング４上に行使されたとき、ピン３１を有するコネクタストリップ２７がばね手段３４のばね力に反してスロット３２内に摺動し、リング端部２２および２４の間の距離ｄが増加する。フープ力が低減されたとき、ばね手段３４がコネクタを図６Ｂに示されるような位置に促し、リング端部２２および２４の間の距離ｄは元の距離に低減される。この一時的な拡大は図６Ａに示されるようにレバー１９が閉鎖位置にありレバー１９を図６Ｃに示されるような開放位置に動かす必要がない間に達成されることが理解されるべきである。
【００３７】
図７Ａおよび図７Ｂは発明による代替的な閉鎖レバー３８を示す。このケースでは、ヒンジピン３１は固定され、固定された状態でコネクタストリップ２７と中間レバー部２１を接続する。このケースでは、リング端部２２はヒンジピン２９が摺動するスロット４０を有するストリップ３９を有して提供され、ばね手段４１によってストリップ３９と接続したピン４２と接続する。同じような方法で閉鎖レバー７と関連して議論されたように、固定リング４上に周辺フープ力を促したとき、スロット４０内のピン２９のスロット４０の左側端部への摺動を生じ、これにより固定リング４およびリング端部２２および２４の間の距離を拡大する。フープ力の開放はスロット４０内のピン２９のばね力４１下に向かった動きを生じ、これにより固定リングは直径を低減し、リング端部２２および２４は互いに接近する。
【００３８】
図８Ａおよび図８Ｂは発明による閉鎖レバー４３のさらなる代替例を示す。このケースでは、リング端部２４はばね手段３４を通じてばね手段３４のばね力下のスロット４５内を摺動可能なピン３６と接続する。したがって、閉鎖レバー７および３８に関して説明されたのと同じ方法で、フープ力を生じるとピン２６はばね手段３４のばね力に反してスロット４５内に摺動し、固定リング３４は広がって直径を増す。フープ力の開放は、リング端部２２および２４が互いに接近し固定リングが元の形態を取り戻すようピン３６のスロット４５内への摺動を生じる。
【００３９】
発明の実施形態としては詳細に示されていないけれども、発明の代替的実施形態において固定リングは閉鎖位置において容器端部上のリングを固定し、開放位置で固定リングを開く固定スプリットリングの端部に接続したレバーおよび少なくとも１つのリング端部でレバーと接続したばね手段を備える。
【００４０】
さらに、ヒンジ手段が摺動可能に中間レバー部または接続ストリップ内に接続される。
発明による閉鎖レバー７、３８および４３は容器本体２上の蓋３の固定のために十分な型締力を提供するよう寸法設計されることに注意されたい。そのようなので、通常の操作、運搬および使用中に、その容量まで充填された容器は（ペイントやインクのような）製品、水および空気に対して密閉である。ＵＮ承認（UN-approval）に従うとき、その容量まで充填された容器は、たとえば２０リットルの容器を１．８メートルの高さから落とすようなドロップテストを通過する。さらに、押して力を適用したとき、固定リングが容器端部上に接続して押すとき、固定リング４を一時的に広げるための十分なフープ力が生じ、固定リングは容器端部を通り越してスナップ結合してもよい。そのようなプッシュオーバー力は閉鎖およびばね手段のばね力の型締力に調整される。型締力はたとえばレバーのピン３１および２６との間の距離と比較した、一方ではレバーのピン２９および３９の間の距離によって決定される。これは特に閉鎖位置においてレバーがピン２６およびピン２９と３１を考慮して中心位置を占めるときにレバー１９の型締力を決定する。
【００４１】
容器は概ね鋼、鋼板あるいはその類似品のような金属製であり、たとえば最大２８６ｍｍの直径を有し、最大約０．３５ｍｍの容器本体の壁厚を有する。
【００４２】
詳細に議論されてはいないが、発明による閉鎖レバーはさらにレバー１９に目立つ望ましくない開口部を生じないテンパー度検査手段が提供されてもよい。一方で、レバーは望ましくない開口部を回避するよう停止手段を提供されてもよい。
【００４３】
図９は発明による容器１を示し、蓋３は容器本体上に発明による閉鎖レバー７を提供された固定リング４を用いて固定される。閉鎖レバー７は容器１間の隙間スペース４７に収納できるような弧長Ｌを有する。ユーロパレット上に２２の容器が積み重ねられるよう、そのような容器は約２０リットルの容量と２９６ｍｍの外側上面直径を有する。
【００４４】
この点で固定リング４の外側寸法は容器本体の制限内に維持されることに注意されたい。そこに、蓋端部固定リングを有する容器端部が容器本体の首部上に存在することが好ましく、さらに望ましくさえある。
【００４５】
最後に、図１０は図４Ｆに示された容器と類似の容器を示すが、容器端部１５と蓋３の間の十分に固い閉鎖が合成部１８を用いることなく得られる。
【図１】
0006539660.tif 000002
【図２】
0006539660.tif 000003
【図３】
0006539660.tif 000004
【図４Ａ】
0006539660.tif 000005
【図４Ｂ】
0006539660.tif 000006
【図４Ｃ】
0006539660.tif 000007
【図４Ｄ】
0006539660.tif 000008
【図４Ｅ】
0006539660.tif 000009
【図４Ｆ】
0006539660.tif 000010
【図５Ａ】
0006539660.tif 000011
【図５Ｂ】
0006539660.tif 000012
【図６Ａ】
0006539660.tif 000013
【図６Ｂ】
0006539660.tif 000014
【図６Ｃ】
0006539660.tif 000015
【図６Ｄ】
0006539660.tif 000016
【図７Ａ】
0006539660.tif 000017
【図７Ｂ】
0006539660.tif 000018
【図８Ａ】
0006539660.tif 000019
【図８Ｂ】
0006539660.tif 000020
【図９】
0006539660.tif 000021
【図１０】
0006539660.tif 000022